(57)【要約】      （修正有）【課題】旅行かばんの部品を減少させ、旅行かばんの製造過程を簡素化することを可能にする旅行かばん用ファスナーを提供する。【解決手段】旅行かばん用ファスナー１０は、旅行かばんのフロントシェル２およびバックシェル３の間に装着され、かつ第一テープ２０、第二テープ３０および複数のエレメント４０を備える。第一テープ２０は、旅行かばんのフロントシェル２の周縁を遮蔽する第一遮蔽部２１と、第一遮蔽部２１に連続する第一連結部２５と、第一遮蔽部２１に連続する第一拡張部２３とを有する。第二テープ３０は、旅行かばんのバックシェル３の周縁を遮蔽する第二遮蔽部３１と、第二遮蔽部３１に連続する第二連結部３５と、第二遮蔽部３１に連続する第二拡張部３３とを有する。エレメント４０は互いに噛み合い、かつ第一テープ２０の第一拡張部２３および第二テープ３０の第二拡張部３３に別々に固定される。【選択図】図４
2011182853.tif 000002
【特許請求の範囲】
【請求項１】
旅行かばんのフロントシェルおよびバックシェルの間に装着される旅行かばん用ファスナーであって、
プラスチックから構成され、かつ前記旅行かばんの前記フロントシェルの周縁を遮蔽する第一遮蔽部と、前記第一遮蔽部に連続する第一連結部と、前記第一遮蔽部に連続する第一拡張部とを有する第一テープと、
プラスチックから構成され、かつ前記旅行かばんの前記バックシェルの周縁を遮蔽する第二遮蔽部と、前記第二遮蔽部に連続する第二連結部と、前記第二遮蔽部に連続する第二拡張部とを有する第二テープと、
互いに噛み合い、かつ前記第一テープの前記第一拡張部および前記第二テープの前記第二拡張部に別々に固定される複数のエレメントと、
を備え、
前記旅行かばんの前記フロントシェルおよび前記バックシェルの間に装着される場合、
前記フロントシェルの周縁は、前記第一テープの前記第一遮蔽部および前記第一連結部の間に収納され、
前記バックシェルの周縁は、前記第二テープの前記第二遮蔽部および前記第二連結部の間に収納されることを特徴とする旅行かばん用ファスナー。
【請求項２】
前記第一テープの前記第一遮蔽部および前記第一連結部の連結箇所には、前記旅行かばんの前記フロントシェルの周縁に突き当たる第一位置制限部を有し、
前記第二テープの前記第二遮蔽部および前記第二連結部の連結箇所には、前記旅行かばんの前記バックシェルの周縁に突き当たる第二位置制限部を有することを特徴とする請求項１に記載の旅行かばん用ファスナー。
【請求項３】
前記第一テープの前記第一連結部は、第一縫線によって前記フロントシェルの上に留められ、
前記第一テープの前記第一遮蔽部は、前記第一縫線を遮蔽し、
前記第二テープの前記第二連結部は、前記第二縫線によって前記バックシェルの上に留められ、
前記第二テープの前記第二遮蔽部は、前記第二縫線を遮蔽することを特徴とする請求項１に記載の旅行かばん用ファスナー。
【請求項４】
フロントシェルと、
バックシェルと、
前記フロントシェルおよび前記バックシェルの間に装着される請求項１に記載のファスナーと、
を備えることを特徴とする旅行かばん。
【請求項５】
前記ファスナーの前記第一テープの前記第一遮蔽部および前記第一連結部の連結箇所には、前記旅行かばんの前記フロントシェルの周縁に突き当たる第一位置制限部を有し、
前記ファスナーの前記第二テープの前記第二遮蔽部および前記第二連結部の連結箇所には、前記旅行かばんの前記バックシェルの周縁に突き当たる第二位置制限部を有することを特徴とする請求項４に記載の旅行かばん。
【請求項６】
前記ファスナーの前記第一テープの前記第一連結部は、第一縫線によって前記フロントシェルの上に留められ、
前記ファスナーの前記第一テープの前記第一遮蔽部は、前記第一縫線を遮蔽し、
前記ファスナーの前記第二テープの前記第二連結部は、前記第二縫線によって前記バックシェルの上に留められ、
前記ファスナーの前記第二テープの前記第二遮蔽部は、前記第二縫線を遮蔽することを特徴とする請求項４に記載の旅行かばん。
【発明の詳細な説明】
【技術分野】
【０００１】
本発明は、旅行かばんに関し、詳しくは旅行かばん用ファスナーに関するものである。
【背景技術】
【０００２】
図１は従来の旅行かばん１の斜視図であり、図２は図１中の２−２線に沿った断面図である。図１および図２に示すように従来の旅行かばん１は、フロントシェル２、バックシェル３、ファスナー４および二つのフレーム５を備える。ファスナー４は、フロントシェル２およびバックシェル３に装着され、かつ二つの布製テープ４ａと、二つの布製テープ４ａ間に位置する数多くのエレメント４ｂと、エレメント４ｂから構成される経路に沿って往復移動できるスライダー４ｃとを有する。フレーム５は、フロントシェル２およびバックシェル３の周縁に固定され、かつ二つのファスナー４に連結される。
【０００３】
従来の旅行かばん１は、エレメント４ｂの噛み合せおよび分離によって開閉を行なう。フレーム５は、フロントシェル２およびバックシェル３上の未処理の周縁および縫線を遮蔽し、旅行かばんの外観を綺麗に整える。
【０００４】
しかしながら、前述した旅行かばんを製造する際、ミシンで縫製するには、ファスナーの布製テープ４ａ、フレーム５、フロントシェル２およびバックシェル３などの部品の位置をそろえる必要があるため、手間がかかる。かつミシンで縫製する過程において、上述した部品の位置を一定にすることが難しいだけでなく、布製テープの位置が所定の直線からずれることがよくあるため、スライダー４ｃの作動に影響を与え、旅行かばん１の製造過程の不良率が高くなる。またミシン縫いによって旅行かばんに固定される布製テープ４ａは長期にわたって使用されたり、引っ張られたりすると、破損しやすく、フロントシェル２またはバックシェル３から逸脱してしまうという現象が発生する。
【発明の概要】
【発明が解決しようとする課題】
【０００５】
本発明の主な目的は、旅行かばんの部品を減少させ、旅行かばんの製造過程を簡素化することを可能にする旅行かばん用ファスナーを提供することである。
本発明のもう一つの目的は、長期使用に耐えられる旅行かばん用ファスナーを提供することである。
【課題を解決するための手段】
【０００６】
上述の目的を達成するために、本発明による旅行かばん用ファスナーは、旅行かばんのフロントシェルおよびバックシェルの間に装着され、かつ第一テープ、第二テープおよび複数のエレメントを備える。第一テープは、旅行かばんのフロントシェルの周縁を遮蔽する第一遮蔽部と、第一遮蔽部に連続する第一連結部と、第一遮蔽部に連続する第一拡張部とを有する。第二テープは、旅行かばんのバックシェルの周縁を遮蔽する第二遮蔽部と、第二遮蔽部に連続する第二連結部と、第二遮蔽部に連続する第二拡張部とを有する。エレメントは互いに噛み合い、かつ第一テープの第一拡張部および第二テープの第二拡張部に別々に固定される。
【図面の簡単な説明】
【０００７】
【図１】従来の旅行かばんを示す斜視図である。
【図２】図１中の２−２線に沿った断面図である。
【図３】本発明の一実施形態による旅行かばん用ファスナーを示す斜視図である。
【図４】本発明の一実施形態による旅行かばん用ファスナーが旅行かばんに適用された状態の一部分を示す断面図である。
【発明を実施するための形態】
【０００８】
以下、本発明による旅行かばん用ファスナーを図面に基づいて説明する。
（一実施形態）
図３および図４に示すように、本発明の一実施形態による旅行かばん用ファスナー１０は、旅行かばんのフロントシェル２およびバックシェル３の間に装着され、かつ第一テープ２０、第二テープ３０および複数のエレメント４０を備える。
【０００９】
第一テープ２０は、ＰＶＣ、ＰＰ、ＰＥ、ＰＣなどの軟質プラスチックまたは適切な材質から構成され、かつ互いに連結するように一体成形された第一遮蔽部としての遮蔽部２１、第一拡張部としての拡張部２３および第一連結部としての連結部２５を有する。遮蔽部２１と連結部２５とは一端が一体に結合し、Ｃ形の第一位置制限部としての位置制限部２７を構成する。拡張部２３は遮蔽部２１および連結部２５の連結箇所から延びて形成される。
【００１０】
第二テープ３０は、構造および材質が第一テープ２０と同じであり、かつ互いに連結する第二遮蔽部としての遮蔽部３１、第二拡張部としての拡張部３３および第二連結部としての連結部３５を有し、かつ遮蔽部３１と連結部３５の連結箇所に第二位置制限部としての位置制限部３７が形成される。
【００１１】
エレメント４０は、務歯頭部４１および固定端４３を有する。エレメント４０は務歯頭部４１によって互いに噛み合い、エレメント４０の固定端４３はミシン縫いまたは別の方法によって第一テープ２０の拡張部２３および第二テープ３０の拡張部３３に別々に固定される。
【００１２】
図４に示すように、旅行かばんにファスナー１０を装着する場合、フロントシェル２の周縁は、第一テープ２０の遮蔽部２１および連結部２５の間に収納され、かつ位置制限部２７に突き当たるため、フロントシェル２の所定位置に第一テープ２０を正確に据えることが可能である。続いて、第一縫線Ｌ１によって第一テープ２０の連結部２５に沿って第一テープ２０をフロントシェル２に留める。このとき第一縫線Ｌ１は、第一テープ２０の遮蔽部２１によって遮蔽される。実際に製造する際、接着、嵌合または別の方法によって連結部２５とフロントシェル２とを結合させることが可能である。
【００１３】
同様に第二テープ３０の連結部３５は前述した方法によってバックシェル３に固定され、第二テープ３０の遮蔽部３１は第二縫線Ｌ１を遮蔽するため、フロントシェル２の未処理の周縁を第一テープ２０の遮蔽部２１および連結部２５の間に隠し、バックシェル３の未処理の周縁を第二テープ３０の遮蔽部３１および連結部３５の間に隠すことが可能である。かつフロントシェル２とバックシェル３との周縁が第一テープ２０の位置制限部２７および第二テープ３０の位置制限部３７に別々に突き当たるため、フロントシェル２およびバックシェル３上の所定位置に第一テープ２０と第二テープ３０とを別々に固定し、位置ズレを抑制することが可能である。
【００１４】
本実施形態による旅行かばん用ファスナー１０は、従来のフレームとファスナーとを結合させることによって構成されるため、旅行かばんを製造する際、本実施形態によるファスナー１０、フロントシェル２およびバックシェル３の位置を揃えさせすればミシンによって縫製を進めることが可能である。ファスナー４、フレーム５、フロントシェル２およびバックシェル３の位置をそろえなければならない従来の技術に対し、本実施形態は、旅行かばんの製造過程を確実に簡単化し、かつファスナー１０の位置を一直線上に容易に維持することが可能であるため、従来の構造のようにスライダーがスムーズに移動できないという欠点を避け、旅行かばんの製造過程の良品率を高めることが可能となる。かつ本実施形態によるファスナー１０のテープ２０、３０は、軟質プラスチックであるため、長期にわたって使用されたり引っ張られたりすることが原因で破損が発生するという現象が起こりにくい。
【符号の説明】
【００１５】
１：旅行かばん、２：フロントシェル、３：バックシェル、４：ファスナー、４ａ：テープ、４ｂ：エレメント、４ｃ：スライダー、５：フレーム、１０：ファスナー、２０：第一テープ、２１：遮蔽部（第一遮蔽部）、２３：拡張部（第一拡張部）、２５：連結部（第一連結部）、２７：位置制限部（第一位置制限部）、３０：第二テープ、３１：遮蔽部（第二遮蔽部）、３３：拡張部（第二拡張部）、３５：連結部（第二連結部）、３７：位置制限部（第二位置制限部）、４０：エレメント、４１：務歯頭部、４３：固定端、Ｌ１：縫線（第一縫線、第二縫線）
【図１】
2011182853.tif 000003
【図２】
2011182853.tif 000004
【図３】
2011182853.tif 000005
【図４】
2011182853.tif 000006